(57)【要約】【課題】  必要のないデバイスはスリープから復帰させないようにして、無駄な電力消費を抑制する。【解決手段】  MFPがスリープ状態から復帰する際の復帰要因となったジョブの種類を判別することにより、必要のないデバイスはスリープから復帰させない構成とする。【選択図】  図１
2006150801.tif 000002
【特許請求の範囲】
【請求項１】
消費電力量を制御する機能を有する画像形成装置であって、ネットワークを介して文書記述データを受信する機能を有しており、文書記述データを処理する複数の処理装置を有しており、受信した前記文書記述データの種別をどの文書処理装置で処理するか選別する機能を有していることを特徴とした画像形成装置。
【請求項２】
消費電力の制御は、画像形成装置が有する複数の装置の通電部分を変化させることによって行うことを特徴とした請求項１の画像形成装置。
【請求項３】
画像処理装置が有する文書処理装置に対して、受信した文書記述データの種別を選別することでどの文書処理装置に通電するか制御することを特徴とした請求項２の画像形成装置。
【発明の詳細な説明】
【技術分野】
【０００１】
ネットワークを介して受信したPDLデータを印刷可能で、電力制御の出来るMFP。
【背景技術】
【０００２】
MFPが低消費電力状態から復帰する際には、復帰要因となったジョブに対して必要のないデバイスまで復帰させていた。
【０００３】
又、別の従来例としては、特許文献１及び特許文献２をあげることが出来る。
【特許文献１】特開２００２−３５９７０４号公報
【特許文献２】特開２００２−３００３２９号公報
【発明の開示】
【発明が解決しようとする課題】
【０００４】
従来の技術における問題点は、復帰要因となったジョブに対して必要のないデバイスまで復帰させていたことにより、必要のない無駄な電力を消費していたことである。
【課題を解決するための手段】
【０００５】
本発明では、MFPがスリープ状態から復帰する際の復帰要因となったジョブの種類を判別することにより、必要のないデバイスはスリープから復帰させないことを可能とする。
【発明の効果】
【０００６】
実施例１によれば、スリープ時に外部RIPデバイスで処理する必要のないPDLデータを受信した場合には、外部RIPデバイスをスリープから復帰させず、処理に必要なデバイスだけをスリープから復帰させることで画像形成装置の動作時の消費電力を低減させることができる。
【０００７】
実施例２によれば、スリープ時に操作パネルを操作することにより、スリープから復帰する場合には、外部RIPデバイスをスリープから復帰させず、処理に必要なデバイスだけをスリープから復帰させることで画像形成装置の動作時の消費電力を低減させることができる。
【発明を実施するための最良の形態】
【０００８】
（実施例1）
図１は、本実施例の形態によって構成したネットワークシステムである。
【０００９】
図中の200はインターネット通信網である。201はウェブサーバであり、インターネット200上に接続され、インターネットユーザーに特定のサービスを提供する。202は金融機関と消費者クライアントの間の決済処理などを行う電子マネーサーバである。204は個人ユーザーの端末とインターネット200との接続処理を行うサービスプロバイダである。203はファイアーウォールであり、これにより下に図示したＬＡＮ2011内部と外部通信網（インターネット200）とを接続し、セキュリティー管理などを行う。210はＬＡＮ2011で接続された211〜214、220の各機器管理サーバーである。211はファイルサーバであり、ＬＡＮで接続された複数のユーザーがデータを共有することができる。
【００１０】
220はデジタル複写機などの画像形成装置であり、主に画像の入出力機能を有する。この画像形成装置220において、140はユーザーが各種の操作を行うための操作部、10は操作部140やパソコン212、213からの指示にしたがって画像を読み取るためのイメージスキャナ、20はパソコン212、213やファイルサーバ211からのデータを用紙に印刷するプリンターである。
【００１１】
30はコントローラユニットであり、操作部140やパソコン212、213からの指示に基づいてスキャナ10、プリンター20に対する画像データの入出力の制御を行う。例えば、スキャナ１０が取り込んだ画像データをコントローラ内部のメモリに蓄積したり、パソコン212、213に出力したり、あるいはプリンター20で印刷するなどの制御を行う。214はプリンターであり、パソコン212、213やファイルサーバ211からの画像データを記録媒体上にプリントすることができる。212、213は端末装置として接続されたパソコンである。インターネット200を介してウェブサーバ201から提供された情報を閲覧したり、画像データを画像形成装置220やプリンター214に出力したりすることができる。
【００１２】
なお、上記構成はインターネットにファイアーウォール203を介してＬＡＮ2011が接続されている構成となっているが、サービスプロバイダ204を介してファイアーウォールが接続される構成でもかまわない。
【００１３】
本発明の画像処理装置の外観を図２に示す。
【００１４】
画像入力デバイスであるスキャナ部10は、原稿画像をランプにより照射し、CCDラインセンサ(図示せず)で読み取り、電気信号に変換することで画像データとして処理を行なう。原稿用紙を原稿フィーダ142にセットし、装置使用者が操作部140から読み取り起動指示することにより、フィーダ2072は原稿用紙を1枚ずつフィードし原稿画像の読み取り動作を行う。
【００１５】
画像出力デバイスであるプリンタ部20は、画像データを用紙上の画像に変換する部分であり、本発明の明細書では、感光体ドラムや感光体ベルトを用いた電子写真方式により説明を行なうが、微少ノズルアレイからインクを吐出して用紙上に直接画像を印字するインクジェット方式等であっても構わない。プリント動作の起動は、装置内部のコントローラ（後述）からの指示によって開始する。プリンタ部20には、異なる用紙サイズまたは異なる用紙向きを選択できるように複数の給紙段を持ち、それに対応した用紙カセット2101、2102、2103、2104がある。また、画像形成された用紙は排紙トレイ132上に排出される。
【００１６】
図３は本発明の画像形成装置の構成を説明する断面図である。図面を用いて動作の詳細を説明する。
【００１７】
101は原稿台ガラスであり、原稿自動送り装置142から給送された原稿が順次、所定位置に載置される。102は例えばハロゲンランプから構成される原稿照明ランプで、原稿台ガラス101に載置された原稿を露光する。103、104、105は走査ミラーであり、図示しない光学走査ユニットに収容され、往復動しながら、原稿からの反射光をＣＣＤユニット106に導く。ＣＣＤユニット106はＣＣＤに原稿からの反射光を結像させる結像レンズ107、例えばＣＣＤから構成される撮像素子108、撮像素子108を駆動するＣＣＤドライバ109等から構成されている。撮像素子108からの画像信号出力は例えば８ビットのデジタルデータに変換された後、コントローラ部139に入力される。また、110は感光ドラムであり、112の前露光ランプによって画像形成に備えて除電される。113は１次帯電器であり、感光ドラム110を一様に帯電させる。117は露光手段であり、例えば半導体レーザー等で構成され、画像形成や装置全体の制御を行うコントローラ部139で処理された画像データに基づいて感光ドラム110を露光し、静電潜像を形成する。118は現像器であり、黒色の現像剤（トナー）が収容されている。119は転写前帯電器であり、感光ドラム110上に現像されたトナー像を用紙に転写する前に高圧をかける。120、122、124、142、144は給紙ユニットであり（120は手差し給紙ユニット）、各給紙ローラ121、123、125、143、145の駆動により、転写用紙が装置内へ給送され、レジストローラ126の配設位置で一旦停止し、感光ドラム110に形成された画像との書き出しタイミングがとられ再給送される。127は転写帯電器であり、感光ドラム110に現像されたトナー像を給送される転写用紙に転写する。128は分離帯電器であり、転写動作の終了した転写用紙を感光ドラム110より分離する。転写されずに感光ドラム110上に残ったトナーはクリーナー111によって回収される。129は搬送ベルトで、転写プロセスの終了した転写用紙を定着器130に搬送し、例えば熱により定着される。131はフラッパであり、定着プロセスの終了した転写用紙の搬送パスを、ソーター132または中間トレイ137の配置方向のいずれかに制御する。また、133〜136は給送ローラであり、一度定着プロセスの終了した転写用紙を中間トレイ137に反転（多重）または非反転（両面）して給送する。138は再給送ローラであり、中間トレイ137に載置された転写用紙を再度、レジストローラ126の配設位置まで搬送する。
【００１８】
139のコントローラ部には後述するマイクロコンピュータ、画像処理部等を備えており、マンマシンインターフェース装置140からの指示に従って、前述の画像形成動作を行う。
【００１９】
操作部140の構成を図４に示す。LCD表示部1032は、LCD上にタッチパネルシートが貼られており、システムの操作画面を表示するとともに、表示してあるキーが押されるとその位置情報をコントローラユニット30に伝える。図５を用いて後述する。テンキー1028はコピー枚数など、数字の入力時に使用する。スタートキー1029は原稿画像の読み取り動作を開始する時などに用いる。ストップキー1030は稼働中の動作を止めるときに使用する。リセットキー1031は操作部からの設定を初期化する時に用いる。
【００２０】
また、1023はガイドキーであり、キーの機能が解らないとき押すとそのキーの説明が表示される。1024はコピーモードキーであり、複写を行うときに押す。1025はファクスキーであり、ファクスに関する設定を行うときに押す。1026はファイルキーであり、ファイルデータを出力したいときに押す。1027はプリンターキーであり、コンピュータ等の外部装置からのプリント出力に関する設定などを行なうときに使用する。
【００２１】
1031は、音声ガイドキーであり、音声によるガイドを行なうときに、キーを押下して設定を行い、設定をオフにする場合には再度、押下して設定を解除することができる。
【００２２】
501はスピーカーで、音声によるガイドがスピーカーを通して出力する。502はハンドセットであり、これを使用して音声を入力したり、音声ガイドを聞くことができる。
【００２３】
図５は、操作部140のLCD表示部に表示される基本画面である。
【００２４】
1001は拡張機能キーであり、このキーを押すことによって両面複写、多重複写、移動、とじ代の設定、枠消しの設定等のモードに入る。1002は画像モードキーであり、複写画像に対して網掛け、影付け、トリミング、マスキングを行うための設定モードに入る。1003はユーザーモードキーであり、モードメモリの登録、標準モード画面の設定がユーザーごとに行える。1004は応用ズームキーであり、原稿のＸ方向、Ｙ方向を独立に変倍するモード、原稿のサイズと複写サイズから変倍率を計算するズームプログラムのモードに入る。1005、1006、1007はＭ１キー、Ｍ２キー、Ｍ３キーであり、それぞれのモードメモリを呼び出す際に押す。1008はコールキーであり、前回設定されていた複写モードを呼び出す際に押す。1009はオプションキーであり、フィルムから直接複写するためのフィルムプロジェクター等のオプション機能の設定を行う。1010はソーターキーであり、ソート出力、グループ出力等のモード設定を行う。1011は原稿混載キーであり、原稿フィーダーにＡ４サイズとＡ３サイズ、またはＢ５サイズとＢ４サイズの原稿を一緒にセットする際に押す。1012は等倍キーであり、複写倍率を100％にする際に押す。1014、1015はそれぞれ縮小キー、拡大キーであり、定形の縮小、拡大を行う際に押す。1016はズームキーであり、１％刻みで非定形の縮小、拡大を行う際に押す。1013は用紙選択キーであり、複写用紙の選択を行う際に押す。1018、1020は濃度キーであり、1018を押すごとに濃く複写され、1020を押すごとに薄く複写される。1017は濃度表示であり、濃度キーを押すと表示が左右へ変化する。1019はＡＥキーであり、新聞のように地肌の濃い原稿を自動濃度調整複写するときに押す。1021はＨｉＦｉキーであり、写真原稿のように中間調の濃度が多い原稿の複写の際に押す。1022は文字強調キーであり、文字原稿の複写で文字を際立たせたい場合に押下する。
【００２５】
図６は画像形成装置におけるスキャナ10、プリンタ20の構成を示すブロック図である。
【００２６】
751はスキャナ10全体の制御を行なうCPUであり、制御プログラムを記憶した読み取り専用メモリ753（ROM)からプログラムを順次読み取り、実行する。CPUのアドレスバス、データバスはバスドライバ、アドレスデコーダ752からなる回路を介して各負荷に接続されている。また、コントローラユニット30のCPUと接続され、通信を行なう。
【００２７】
754は、入力データの記憶や作業用記憶領域等として用いる主記憶装置としてのランダムアクセスメモリ(RAM)である。755はI/Oインターフェースであり、給紙系、搬送系、光学系の駆動を行なうモーター類756、ランプ類757、また、搬送される用紙を検知する紙検知センサ類758等の装置の各負荷に接続される。
【００２８】
また、CCDユニット106により読み込まれた画像データは、コントローラ30に転送される。
【００２９】
次に、701はプリンタ20の制御を行うＣＰＵであり、制御手順（制御プログラム）を記憶した読み取り専用メモリ703（ＲＯＭ）からプログラムを順次読み取り、実行する。ＣＰＵ701のアドレスバスおよびデータバスは702のバスドライバー回路、アドレスデコーダ回路をへて各負荷に接続されている。また、704は入力データの記憶や作業用記憶領域等として用いる主記憶装置であるところのランダムアクセスメモリ（ＲＡＭ）である。705はＩ／Ｏインターフェースであり、給紙系、搬送系、光学系の駆動を行うモーター類707、クラッチ類708、ソレノイド類709、また、搬送される用紙を検知するための紙検知センサ類710等の装置の各負荷に接続される。現像器118には現像器内のトナー量を検知する711のトナー残検センサが配置されており、その出力信号がＩ／Ｏポート705に入力される。715は高圧ユニットであり、ＣＰＵ701の指示に従って、前述の１次帯電器113、現像器118、転写前帯電器119、転写帯電器127、分離帯電器128へ高圧を出力する。
【００３０】
ＣＣＤユニット106から出力された画像信号はコントローラユニット30により、後述する画像処理を行い、画像データに従って117のレーザーユニットの制御信号を出力する。レーザーユニット117から出力されるレーザー光は感光ドラム110を照射し、露光するとともに非画像領域において受光センサであるところの713のビーム検知センサによって発光状態が検知され、その出力信号がＩ／Ｏポート705に入力される。
【００３１】
コントローラユニットの構成図を図８に示す。コントローラユニット30は画像入力デバイスであるスキャナ10や画像出力デバイスであるプリンタ20と接続し、一方ではLAN2011や公衆回線(WAN)2051接続することで、画像情報やデバイス情報の入出力を行う為のコントローラである。CPU2001はシステム全体を制御するコントローラである。RAM2002はCPU2002が動作するためのシステムワークメモリであり、画像データを一時記憶するための画像メモリでもある。ROM2003はブートROMであり、システムのブートプログラムが格納されている。HDD2004はハードディスクドライブで、システムソフトウェア、画像データ、ソフトウェアカウンタ値などを格納する。操作部I/F2006は操作部(UI)140とのインターフェース部で、操作部140に表示する画像データを操作部140に対して出力する。また、操作部140から本システム使用者が入力した情報を、CPU2001に伝える役割をする。NETWORK2010はLAN2011に接続し、情報の入出力を行う。MODEM2050は公衆回線2051に接続し、情報の入出力を行う。音声入出力ユニット500は音声をスピーカーに対して出力したり、ハンドセットに対して、音声出力したり、音声入力するための制御を行なう。時刻計測ユニット2200にはリアルタイムクロックなどが用いられ、カレンダとして時刻の計測を行う。スキャナ、プリンタ通信I/Fはスキャナ10、プリンタ20のCPUとそれぞれ通信を行なうためのI/Fである。以上のデバイスがシステムバス2007上に配置される。
【００３２】
IMAGE BUS I/F2005はシステムバス2007と画像データを高速で転送する画像バス2008を接続し、データ構造を変換するバスブリッジである。画像バス2008は、PCIバスまたはIEEE1394で構成される。画像バス2008上には以下のデバイスが配置される。ラスターイメージプロセッサ(RIP)2060はPDLコードをビットマップイメージに展開する。デバイスI/F部2020は、画像入出力デバイスであるスキャナ10やプリンタ20、外部RIPデバイス40とコントローラ30を接続し、画像データの同期系/非同期系の変換を行う。スキャナ画像処理部2080は、入力画像データに対し補正、加工、編集を行う。プリンタ画像処理部は、プリント出力画像データに対して、プリンタの補正、解像度変換等を行う。画像回転部2030は画像データの回転を行う。画像圧縮部2040は、多値画像データはJPEG、2値画像画像データはJBIG、MMR、MHの圧縮伸張処理を行う。
【００３３】
以下、図７に示したコントローラユニット30内の各ブロックの説明を行なう。
【００３４】
図８はスキャナ画像処理部2080の構成を示す。画像バスI/Fコントローラ2081は、画像バス2008と接続し、そのバスアクセスシーケンスを制御する働きと、スキャナ画像処理部2080内の各デバイスの制御及びタイミングを発生させる。フィルタ処理部2082は、空間フィルタでコンボリューション演算を行う。編集部2083は、例えば入力画像データからマーカーペンで囲まれた閉領域を認識して、その閉領域内の画像データに対して、影つけ、網掛け、ネガポジ反転等の画像加工処理を行う。変倍処理部2084は、読み取り画像の解像度を変える場合にラスターイメージの主走査方向について補間演算を行い拡大、縮小を行う。副走査方向の変倍については、画像読み取りラインセンサ(図示せず)を走査する速度を変えることで行う。テーブル2085は、読み取った輝度データである画像データを濃度データに変換するために、行うテーブル変換である。2値化2086は、多値のグレースケール画像データを、誤差拡散処理やスクリーン処理によって2値化する。
【００３５】
処理が終了した画像データは、再び画像バスコントローラ2081を介して、画像バス上に転送される。
【００３６】
プリンタ画像処理部2090の構成を図９に示す。画像バスI/Fコントローラ2091は、画像バス2008と接続し、そのバスアクセスシーケンスを制御する働きと、スキャナ画像処理部2090内の各デバイスの制御及びタイミングを発生させる。解像度変換部2092は、NETWORK2011あるいは公衆回線2051から来た画像データを、プリンタ20の解像度に変換するための解像度変換を行う。スムージング処理部2093は、解像度変換後の画像データのジャギー(斜め線等の白黒境界部に現れる画像のがさつき)を滑らかにする処理を行う。
【００３７】
画像圧縮部2040の構成を図１０に示す。画像バスI./Fコントローラ2041は、画像バス2008と接続し、そのバスアクセスシーケンスを制御する働き、入力バッファ2042・出力バッファ2045とのデータのやりとりを行うためのタイミング制御及び、画像圧縮部2043に対するモード設定などの制御を行う。以下に画像圧縮処理部の処理手順を示す。
【００３８】
画像バス2008を介して、CPU2001から画像バスI/Fコントローラ2041に画像圧縮制御のための設定を行う。この設定により画像バスI/Fコントローラ2041は画像圧縮部2043に対して画像圧縮に必要な設定(たとえばMMR圧縮・JBIG伸長等の)を行う。必要な設定を行った後に、再度CPU2001から画像バスI/Fコントローラ2041に対して画像データ転送の許可を行う。この許可に従い、画像バスI/Fコントローラ2041はRAM2002もしくは画像バス2008上の各デバイスから画像データの転送を開始する。受け取った画像データは入力バッファ2042に一時格納され、画像圧縮部2043の画像データ要求に応じて一定のスピードで画像を転送する。この際、入力バッファは画像バスI/Fコントローラ2041と、画像圧縮部2043両者の間で、画像データを転送できるかどうかを判断し、画像バス2008からの画像データの読み込み及び、画像圧縮部2043への画像の書き込みが不可能である場合は、データの転送を行わないような制御を行う(以後このような制御をハンドシェークと呼称する)。画像圧縮部2043は受け取った画像データを、一旦RAM2044に格納する。これは画像圧縮を行う際には行う画像圧縮処理の種類によって、数ライン分のデータを要するためであり、最初の１ライン分の圧縮を行うためには数ライン分の画像データを用意してからでないと画像圧縮が行えないためである。画像圧縮を施された画像データは直ちに出力バッファ2045に送られる。出力バッファ2045では、画像バスI/Fコントローラ2041及び画像圧縮部2043とのハンドシェークを行い、画像データを画像バスI/Fコントローラ2041に転送する。画像バスI/Fコントローラ2041では転送された圧縮(もしくは伸長)された画像データをRAM2002もしくは画像バス2008上の各デバイスにデータを転送する。こうした一連の処理は、CPU2001からの処理要求が無くなるまで(必要なページ数の処理が終わったとき)、もしくはこの画像圧縮部から停止要求が出るまで(圧縮及び伸長時のエラー発生時等)繰り返される。
【００３９】
画像回転部2030の構成を図１１に示す。画像バスI/Fコントローラ2031は、画像バス2008と接続し、そのバスシーケンスを制御する働き、画像回転部2032にモード等を設定する制御及び、画像回転部2032に画像データを転送するためのタイミング制御を行う。以下に画像回転部の処理手順を示す。
【００４０】
画像バス2008を介して、CPU2001から画像バスI/Fコントローラ2031に画像回転制御のための設定を行う。この設定により画像バスI/Fコントローラ2041は画像回転部2032に対して画像回転に必要な設定(たとえば画像サイズや回転方向・角度等)を行う。必要な設定を行った後に、再度CPU2001から画像バスI/Fコントローラ2041に対して画像データ転送の許可を行う。この許可に従い、画像バスI/Fコントローラ2031はRAM2002もしくは画像バス2008上の各デバイスから画像データの転送を開始する。尚、ここでは32BITをそのサイズとし回転を行う画像サイズを32×32(BIT)とし、又、画像バス2008上に画像データを転送させる際に32BITを単位とする画像転送を行うものとする(扱う画像は２値を想定する)。
【００４１】
上述のように、32×32(BIT)の画像を得るためには、上述の単位データ転送を３２回行う必要があり、且つ不連続なアドレスから画像データを転送する必要がある。(図１２参照)
不連続アドレッシングにより転送された画像データは、読み出し時に所望の角度に回転されているように、RAM2033に書き込まれる。例えば、90度反時計方向回転であれば、最初に転送された32BITの画像データを、図１３のようにY方向に書き込んでいく。読み出し時にX方向に読み出すことで、画像が回転される。
【００４２】
32×32(BIT)の画像回転(RAM2033への書き込み)が完了した後、画像回転部2032はRAM2033から上述した読み出し方法で画像データを読み出し、画像バスI/Fコントローラ2031に画像を転送する。
【００４３】
回転処理された画像データを受け取った画像バスI/Fコントローラ2031は、連続アドレッシングを以て、RAM2002もしくは画像バス2008上の各デバイスにデータを転送する。
【００４４】
こうした一連の処理は、 CPU2001からの処理要求が無くなるまで(必要なページ数の処理が終わったとき)繰り返される。
【００４５】
デバイスI/F部2020の構成を図１４に示す。画像バスI/Fコントローラ2021は、画像バス2008と接続し、そのバスアクセスシーケンスを制御する働きと、デバイスI/F部2020内の各デバイスの制御及びタイミングを発生させる。また、スキャナ10、プリンタ20及び外部RIP40への制御信号を発生させる。スキャンバッファ2022は、スキャナ10から送られてくる画像データを一時保存し、画像バス2008に同期させて画像データを出力する。シリアルパラレル・パラレルシリアル変換2023は、スキャンバッファ2022に保存された画像データを順番に並べて、あるいは分解して、画像バス2008に転送できる画像データのデータ幅に変換する。パラレルシリアル・シリアルパラレル変換2024は、画像バス2008から転送された画像データを分解して、あるいは順番に並べて、プリントバッファ2025に保存できる画像データのデータ幅に変換する。プリントバッファ2025は、画像バス2008から送られてくる画像データを一時保存し、プリンタ20に同期させて画像データを出力する。外部RIPバッファ2026は、外部RIP40から送られてくる画像データを一時保存し、画像バス2008に同期させて画像データを出力する。シリアルパラレル・パラレルシリアル変換2027は、外部RIPバッファ2026に保存された画像データを順番に並べて、あるいは分解して、画像バス2008に転送できる画像データのデータ幅に変換する。
【００４６】
画像スキャン時の処理手順を以下に示す。スキャナ10から送られてくる画像データをスキャナ10から送られてくるタイミング信号に同期させて、スキャンバッファ2022に保存する。そして、画像バス2008がPCIバスの場合には、バッファ内に画像データが32ビット以上入ったときに、画像データを先入れ先出しで32ビット分、バッファからシリアルパラレル・パラレルシリアル変換2023に送り、32ビットの画像データに変換し、画像バスI/Fコントローラ2021を通して画像バス2008上に転送する。また、画像バス2008がIEEE1394の場合には、バッファ内の画像データを先入れ先出しで、バッファからシリアルパラレル・パラレルシリアル変換2023に送り、シリアル画像データに変換し、画像バスI/Fコントローラ2021を通して画像バス2008上に転送する。
【００４７】
画像プリント時の処理手順を以下に示す。画像バス2008がPCIバスの場合には、画像バスから送られてくる32ビットの画像データを画像バスI/Fコントローラで受け取り、パラレルシリアル・シリアルパラレル変換2024に送り、プリンタ20の入力データビット数の画像データに分解し、プリントバッファ2025に保存する。また、画像バス2008がIEEE1394の場合には、画像バスからおくられてくるシリアル画像データを画像バスI/Fコントローラで受け取り、パラレルシリアル・シリアルパラレル変換2024に送り、プリンタ20の入力データビット数の画像データに変換し、プリントバッファ2025に保存する。そして、プリンタ20から送られてくるタイミング信号に同期させて、バッファ内の画像データを先入れ先出しで、プリンタ20に送る。
【００４８】
外部RIPで処理された画像を取り込む時の処理手順を以下に示す。外部RIP40から送られてくる画像データを外部RIP40から送られてくるタイミング信号に同期させて、外部RIPバッファ2026に保存する。そして、画像バス2008がPCIバスの場合には、バッファ内に画像データが32ビット以上入ったときに、画像データを先入れ先出しで32ビット分、バッファからシリアルパラレル・パラレルシリアル変換2027に送り、32ビットの画像データに変換し、画像バスI/Fコントローラ2021を通して画像バス2008上に転送する。また、画像バス2008がIEEE1394の場合には、バッファ内の画像データを先入れ先出しで、バッファからシリアルパラレル・パラレルシリアル変換2023に送り、シリアル画像データに変換し、画像バスI/Fコントローラ2021を通して画像バス2008上に転送する。
【００４９】
以下、本発明に関するものである。
【００５０】
画像処理装置は、ある一定時間操作されない場合、消費電力低減のため低消費電力状態、いわゆるスリープ状態になる。このスリープ状態では通電しておく必要のないデバイスへの通電を停止している。したがって、プリンタエンジン本体や外部RIPデバイスなどはスリープ状態では通電していない。画像形成装置が印刷ジョブを受信した時や操作パネルを操作された時にスリープ状態から復帰する。
【００５１】
本発明では、スリープ時に外部RIPデバイスで処理する必要のないPDLデータを受信した場合、外部RIPデバイスはスリープ状態から復帰させず、画像処理装置本体だけを復帰させる。図１５に処理のフローチャートを示す。
【００５２】
ステップ1でPDLデータを受信する。
【００５３】
ステップ2で受信したPDLデータが外部RIPデバイスで処理する必要があるデータか、あるいは外部RIPデバイスで処理する必要のないコントローラだけで処理すべきデータかを判断する。外部RIPデバイスで処理すべきデータであった場合は、ステップ3に進む。コントローラで処理すべきデータであった場合は、ステップ4に進む。
【００５４】
ステップ3では、プリンタエンジン本体と外部RIPデバイスをスリープ状態から復帰させる。
【００５５】
ステップ4で、外部RIPデバイスでPDLデータを処理する。
【００５６】
ステップ5では、ステップ2において外部RIPデバイスで処理する必要がなくコントローラだけで処理することが選択されているため、外部RIPデバイスは復帰させず、プリントするために必要なデバイスだけを復帰させる。
【００５７】
ステップ6で、外部RIPデバイスを使用せず、コントローラだけでPDLデータを処理する。
【００５８】
ステップ7でプリントを行い、終了する。
【００５９】
[効果]
スリープ時に外部RIPデバイスで処理する必要のないPDLデータを受信した場合には、外部RIPデバイスをスリープから復帰させず、処理に必要なデバイスだけをスリープから復帰させることで画像形成装置の動作時の消費電力を低減させることができる。
【００６０】
（実施例２）
実施例２として、操作パネルを操作すること、例えばコピー操作などにより、スリープ状態から復帰する例を説明する。図１６にフローチャートを示す。
【００６１】
ステップ1で操作パネルを操作する。
【００６２】
ステップ2で外部RIPデバイスも復帰させるか選択する。外部RIPデバイスを復帰させない（特別な操作は行わない）場合、ステップ3に進む。外部RIP デバイスを復帰させる場合は、ステップ4に進む。
【００６３】
ステップ3では、コピーなどに必要なデバイスだけ（プリンタエンジンなど）をスリープ状態から復帰させる。
【００６４】
ステップ4では、外部RIPデバイスとコピーなどに必要なデバイス（プリンタエンジンなど）をスリープ状態から復帰させる。
【００６５】
ステップ5で、操作パネルからコピー操作を行う。
【００６６】
ステップ6で、コピーを行い、終了する。
【００６７】
操作パネルの操作による復帰であるので、コピーに限らず、データ送信などの操作であっても構わない。
【００６８】
[効果]
スリープ時に操作パネルを操作することにより、スリープから復帰する場合には、外部RIPデバイスをスリープから復帰させず、処理に必要なデバイスだけをスリープから復帰させることで画像形成装置の動作時の消費電力を低減させることができる。
【図面の簡単な説明】
【００６９】
【図１】本発明の画像処理装置を含むネットワークシステムを示す図である。
【図２】本発明の画像処理装置の外観を示すである。
【図３】画像処理装置の全体構成を示す断面図である。
【図４】操作部を示す図である。
【図５】LCD表示を示す図である。
【図６】画像形成装置におけるスキャナ10、プリンタ20の構成を示すブロック図である。
【図７】コントローラユニットの構成を示す図である。
【図８】スキャナ画像処理部のブロック図を示す図である。
【図９】プリンタ画像処理部のブロック図を示す図である。
【図１０】画像圧縮処理部のブロック図を示す図である。
【図１１】画像回転部のブロック図を示す図である。
【図１２】画像回転処理の説明図を示す図である。
【図１３】画像回転処理の説明図を示す図である。
【図１４】デバイスI/F部のブロック図を示す図である。
【図１５】PDLデータ受信時のフローチャート。
【図１６】コピー動作時のフローチャート。
【図１】
2006150801.tif 000003
【図２】
2006150801.tif 000004
【図３】
2006150801.tif 000005
【図４】
2006150801.tif 000006
【図５】
2006150801.tif 000007
【図６】
2006150801.tif 000008
【図７】
2006150801.tif 000009
【図８】
2006150801.tif 000010
【図９】
2006150801.tif 000011
【図１０】
2006150801.tif 000012
【図１１】
2006150801.tif 000013
【図１２】
2006150801.tif 000014
【図１３】
2006150801.tif 000015
【図１４】
2006150801.tif 000016
【図１５】
2006150801.tif 000017
【図１６】
2006150801.tif 000018